(57)【特許請求の範囲】
【請求項１】
撮影画像の画素毎の画像情報である画素データを記憶する記憶手段と、
該記憶手段に記憶された画素データに基づいて、前記撮影画像の色補正をするための色補正データを算出する補正データ算出手段と、
前記画素データを前記色補正データに基づいて補正する補正手段と
を備えた色補正装置において、
前記撮影画像上の予め定められた情報取得位置に位置する画素の前記画素データのみを抽出する画素データ抽出手段を備え、
該画素データ抽出手段で抽出された前記画素データを前記記憶手段に記憶することを特徴とする色補正装置。
【請求項２】
請求項１記載の色補正装置において、
前記補正データ算出手段は、
前記情報取得位置に対応して前記画素データを重み付けし、該重み付けした画素データに基づいて前記色補正データを作成することを特徴とする色補正装置。
【請求項３】
請求項１，２何れか記載の色補正装置において、
前記情報取得位置の前記撮影画面上での分布密度が部分的に大きくなるよう設定されていることを特徴とする色補正装置。
【請求項４】
請求項３記載の色補正装置において、
自動焦点機能を備える撮影装置が焦点として特定した位置の前記分布密度が大きくなるよう設定されていることを特徴とする色補正装置。
【請求項５】
請求項１〜４何れか記載の色補正装置において、
前記画素データ抽出手段は、
前記情報取得位置に関する複数種類の位置情報を記憶する位置記憶手段と、
外部からの操作に基づいて、前記位置情報を特定する位置選択手段とを備え、該位置選択手段で選択された前記位置情報に基づいて前記情報取得位置が設定されていることを特徴とする色補正装置。
【発明の詳細な説明】
【０００１】
【発明の属する技術分野】
本発明は、ＣＣＤカメラ等の撮影装置から入力した撮影画像を色補正して印刷装置等に出力する色補正装置に関する。
【０００２】
【従来の技術】
従来より、ＣＣＤカメラ等の撮影装置と、その撮影装置で撮影した撮影画像を出力するためのプリンタ等の出力装置とを備えた入出力複合装置があり、現在、プリクラ（商標名）用のものがよく知られている。
【０００３】
この入出力複合装置１００は、図７に示すように、２次元的に配置された画素を備え、その画素毎に撮影画像の画像情報を画素データとして出力するＣＣＤカメラ１１０と、ＣＣＤカメラ１１０から出力された画素データをＡ／Ｄ変換するＡ／Ｄ変換器１２０と、Ａ／Ｄ変換された画素データに基づいて撮影画像を色補正する色補正装置２００と、色補正装置２００から出力された印刷情報に基づいて撮影画像の印刷出力を行うプリンタ１３０とからなる。
【０００４】
このうち色補正装置２００は、ＣＰＵ２１２、ＲＯＭ２１４及び、色補正データΔＬを記憶する記憶領域２２２が確保されたＲＡＭ２２０からなるワンチップ型マイクロコンピュータ２１０（以下「マイコン２１０」とよぶ）と、マイコン２１０に外付けされ、ＣＣＤカメラ１１０から送られてくる撮影画像１フレーム分の画像情報である画像データを全て記憶可能なフレームバッファ２３０とからなる。
【０００５】
このように構成された色補正装置２００では、まず、ＣＣＤカメラ１１０から入力される１フレーム分の全ての画素データをフレームバッファ２３０に記憶する記憶処理を行い、次にフレームバッファ２３０に記憶された画像データに基づいて、撮影画像の色補正を行うための色補正データを算出して、ＲＡＭ２２０に用意された記憶領域２２２に記憶する補正データ算出処理を行い、最後に、フレームバッファ２３０に記憶され、色補正データを作成するために用いた画像データを、ＲＡＭ２２０に記憶された色補正データに基づいて補正し、その補正された画素データを印刷情報としてプリンタ１３０に出力する処理を行っていた。
【０００６】
すなわち従来の入出力複合装置１００では、主に被写体と背景との色調（色相、明度、彩度等）のバランスをとるため、色補正装置２００にて、撮影画像全体の色補正を行っており、そのため色補正装置２００では、ＣＣＤカメラ１１０で撮影された撮影画像１フレーム分の全ての画素データをフレームバッファ２３０に記憶し、その記憶された全ての画素データに基づいて色補正データを算出し、その補正データを基に、撮影画像の色補正を行っていたのである。
【０００７】
【発明が解決しようとする課題】
このように、この色補正装置２００は、少なくとも１フレーム分全ての画素データを記憶可能な記憶容量の大きいフレームバッファ２３０を備えねばならないので、高価なものになるという問題があった。特に、ＣＣＤカメラ１１０の解像度を上げるため画素を高密度化すると、それに比例して画素データが増大するので、より高価で記憶容量の大きな記憶装置を用いなければならず、その点でも従来の色補正装置２００は、画素の高密度化に対応することが難しいという問題があった。
【０００８】
そこで、本発明では、上記問題を解決するため、撮影装置の画素の高密度化に簡単に対応でき、しかも大きな記憶容量の記憶装置を必要としない低廉な色補正装置を提供することを目的とする。
【０００９】
【課題を解決するための手段】
上記問題を解決するための請求項１記載の色補正装置は、撮影画像の画素毎の画像情報である画素データを記憶する記憶手段と、該記憶手段に記憶された画素データに基づいて、前記撮影画像の色補正をするための色補正データを算出する補正データ算出手段と、前記画素データを前記色補正データに基づいて補正する補正手段とを備えた色補正装置において、前記撮影画像上の予め定められた情報取得位置に位置する画素の前記画素データのみを抽出する画素データ抽出手段を備え、該画素データ抽出手段で抽出された前記画素データを前記記憶手段に記憶させることを特徴とする。
【００１０】
この請求項１の色補正装置は、ＣＣＤカメラ等の撮影装置から入力された画像情報である画素データのうち、撮影画像上の予め定められた情報取得位置に位置する画素の画素データを画素データ抽出手段で抽出し、その抽出された画素データを記憶装置に記憶している。そして、その記憶装置に記憶された画素データに基づいて補正データ算出手段が色補正データを算出し、その色補正データに基づいて、撮影装置から入力される画素データを色補正している。
【００１１】
すなわち、この請求項１記載の色補正装置では、撮影画像の全ての画素データを用いて色補正データを算出するのではなく、予め定められた情報取得位置に位置する画素の画素データのみを用いて色補正データを作成しているのである。このようにして色補正データを作成するのは、通常、撮影画像の色調の調整は、被写体（例えば人物）とその背景とのバランスをとることによって行われるので、撮影画像１フレームの全ての画素データを用いなくても、被写体及び背景の必要な画素データをサンプリングできれば色補正データを作成するには必要十分だからである。
【００１２】
従って、この請求項１記載の色補正装置では、記憶装置が、画素データ抽出手段で抽出した画素データだけを記憶すればよいので、記憶手段の記憶容量が少なくて済み、そのため、従来の色補正装置のように、記憶容量の大きな記憶装置を備える必要がないので、その価格を低廉なものにすることができる。また、記憶する画素データが少ないので、撮影装置の画素の高密度化にも容易に対応することができる。
【００１３】
尚、この色補正データを作成するための情報取得位置の一例としては、通常、撮影画像にはその中心に通常被写体が撮影され、その周囲に背景が撮影されるものが一般的であるため、図８（ａ）に示すように、撮影画像の中心点と、撮影画像を４分割し、その分割した４つの中央点にとるのが好ましい。この図８（ａ）において、情報取得位置は、座標（n1,m1）,（n1,m3）,（n2,m2）,（n3,m1）,（n3,m3）の「□」で表された位置である。このようにすれば、撮影画面中央の情報取得位置の画素から被写体、その他の情報取得位置の画素から背景の画素データが取得できるので、補正データを作成するのに必要な画素データを取得できる。
【００１４】
ところで、図８（ａ）では、撮影画像中央、すなわち、被写体が通常撮影される部分には情報取得位置が１カ所設定され、その周囲、すなわち背景が撮影される部分には、情報取得位置が４カ所設定されており、仮にこれらの情報取得位置に位置する画素の画素データを対等なものとして扱い、その画素データから色補正データを作成し、その色補正データを用いて撮影画像を色補正すると、色補正後の撮影画像は、背景の色調が強調されたものとなる。
【００１５】
そこで、以下では、主に被写体の色調が強調された撮影画像、あるいは、被写体と背景との色調がよりバランスよく強調された撮影画像に補正することができる色補正装置について説明する。
まず、請求項２記載の色補正装置は、請求項１記載の色補正装置において、前記補正データ算出手段は、前記情報取得位置に対応して前記画素データを重み付けし、該重み付けした画素データに基づいて前記色補正データを作成することを特徴とする。
【００１６】
この請求項２記載の色補正装置を用い、例えば図８（ａ）において中央部分の画素の色調が他の画素の色調より強調されるように重み付けをした後、色補正データを作成すれば、中央部分の色調が強調された撮影画像、すなわち、被写体の色調が強調された撮影画像を作成することができる。また、このように重み付けすることで、被写体と背景との色調がバランスよく強調された撮影画像を作成することができる。
【００１７】
次に、請求項３記載の色補正装置は、請求項１，２何れか記載の色補正装置において、前記情報取得位置の前記撮影画面上での分布密度が部分的に大きくなるよう設定されていることを特徴とする。
この請求項３記載の色補正装置のように、撮影画面上の特定部分における情報取得位置の分布密度を大きくすれば（一例として図８（ｂ））、各画素データを対等なものとして扱っても、分布密度を大きくした位置に被写体を撮影すれば、被写体の色調が強調されたあるいはバランスのよい撮影画像を作成することができる。
【００１８】
また、このような特定部分の情報取得位置の分布密度を大きくする方法としては、請求項４記載の色補正装置のように、請求項３記載の色補正装置において、自動焦点機能を備える撮影装置が焦点として特定した位置の前記密度分布が大きくなるよう設定するとよい。この請求項４記載の色補正装置を用いれば、通常焦点は被写体に合わせられるので、焦点位置、すなわち被写体が撮影される部分での情報取得位置の分布密度を常に大きくすることができる。
【００１９】
次に、請求項５記載の色補正装置は、請求項１〜４何れか記載の色補正装置において、前記画素データ抽出手段は、前記情報取得位置に関する複数種類の位置情報を記憶する位置記憶手段と、外部からの操作に基づいて、前記位置情報を特定する位置選択手段とを備え、該位置選択手段で選択された前記位置情報に基づいて前記情報取得位置が設定されていることを特徴とする。
【００２０】
この請求項５記載の色補正装置を用いれば、例えば、色情報取得位置の様々な配置パターンを予め記憶しておき、それらに基づいて撮影画像を素早く色補正することができるので、短時間に様々なパターンで色補正した撮影画像を出力することができる。
【００２１】
尚、請求項２〜５の記載の色補正装置の説明では、被写体の色調を強調する色補正をした撮影画像を出力するものについて説明したが、背景の色調を強調した撮影画像を出力できることはもちろんである。これら色補正装置を用いて背景の部分の色調を強調した撮影画像を出力するには、例えば、請求項２記載の色補正装置では、背景部分の画素データを他の画素データより重み付けすればよい。また、請求項３記載の色補正装置では、背景部分の情報取得位置の分布密度を大きくすればよい。
【００２２】
【発明の実施の形態】
［第１実施例］
以下本発明の一実施例について以下説明する。
本実施例の色補正装置は、ＣＣＤカメラと、ＣＣＤカメラで撮影された撮影画像を印刷出力するプリンタを備える入出力複合装置に備えられるものである。
【００２３】
まず、図１を用いて入出力複合装置１の概略構成を説明する。
この入出力複合装置１は、図１に示すように、ＣＣＤカメラ１０と、ＣＣＤカメラ１０から出力された画像情報をＡ／Ｄ変換するＡ／Ｄ変換器１２と、ディジタル信号に変換された画像情報に基づいて撮影画像を印刷出力するプリンタ１４と、撮影画像を印刷出力する際押下する押しボタンスイッチ１６と、Ａ／Ｄ変換器１２とプリンタ１４との間に接続され、撮影画像の色補正を行うため、予め算出された色補正データΔＬに基づいてＡ／Ｄ変換器１２から入力した画像情報を色補正した後、色補正した画像情報を印刷データとして出力する色補正装置３とからなる。
【００２４】
このうち、ＣＣＤカメラ１０は、２次元的に配置された画素毎に撮影画像の画像情報である画素データを生成し、その画素データをＡ／Ｄ変換器１２に出力する周知の装置である。またこのＣＣＤカメラ１０は、予め設定されている撮影周期毎に撮影を行い、また撮影された撮影画像の画素データの集合（以下「フレーム」という）の先頭及び末尾のそれぞれにヘッダとフッタを付けて出力している。また本実施例では、このＣＣＤカメラ１０は、入出力複合装置１が起動すると、上述した撮影周期でフレームを出力している。
【００２５】
次に、Ａ／Ｄ変換器１２は、ＣＣＤカメラ１０から出力された画素データをディジタル信号に変換して出力する周知の装置であり、また、プリンタ１４は、ディジタル変換された画素データである印刷データに基づいて撮影画像を印刷出力する周知のインクジェットプリンタである。
【００２６】
以上のように構成された入出力複合装置１に適用される色補正装置３について以下詳細に説明する。
まず、色補正装置３は、ワンッチップ型のマイクロコンピュータ５（以下「マイコン５」という）と、このマイコン５に外付けされた記憶媒体であるラインバッファ９とからなる。
【００２７】
このうち、マイコン５は、Ｉ／Ｏポートが付属され、色補正装置３全体を制御するためのＣＰＵ５０と、色補正装置３を制御するためのプログラム等が格納されたＲＯＭ６と、色補正データΔＬを一時的に記憶するΔＬ記憶領域７０が確保されたＲＡＭ７とからなる。
【００２８】
また、ＲＯＭ６には、上述したプログラムの他に、Ａ／Ｄ変換器１２から入力した画素データのデータ値と、Ｌ*ａ*ｂ*（エルスターエ−スタービースター）系の色座標との対応関係を照合するための照合用データと、情報取得位置に関する位置データが記憶されている。
【００２９】
尚、情報取得位置とは、請求項１の説明の際、図８（ａ）を用いて説明した位置であり、その位置を表す位置データとして、撮影画面上の座標が記憶されている。また、本実施例では、ＣＣＤカメラ１０がカラー撮影できるものであるので、ＲＧＢ各色について情報取得位置が図８（ａ）のように５カ所ずつ定められている。
【００３０】
一方、ラインバッファ９は、上述した情報取得位置の画素の画素データを記憶する。
次に、このように構成された色補正装置３で行われる色補正処理（Ｓ１）の全体的な処理について、図２のフローチャートを用いて説明する。尚、この色補正処理Ｓ１は、入出力複合装置１の電源が入ったとき開始される。
【００３１】
まず、入出力複合装置１の電源が入れられ、色補正処理（Ｓ１）が開始されると、色補正データΔＬを作成する色補正データ作成処理（Ｓ３）が行われ、次に先の処理（Ｓ３）で作成された色補正データΔＬに基づいて、色補正装置３に入力された画素データを色補正して出力する色補正出力処理（Ｓ５）が行われる。
【００３２】
そこでまず、色補正データ作成処理（Ｓ３）について、以下詳細に説明する。
ここで、図３は、色補正データ作成処理（Ｓ３）のフローチャートである。
この色補正データ作成処理（Ｓ３）を開始すると、図３に示すように、まず、フレームのヘッダが入力されたか否かを検出し（Ｓ３０）、次に、ＲＯＭ６に記憶された位置データに基づいて情報取得位置の画素の画素データが入力されたか否かを判定する入力判定（Ｓ３２）を行う。そしてこの判定（Ｓ３２）において肯定判定された画素データを照合用データと照合し（Ｓ３４）、画素データをＬ*ａ*ｂ*系の色座標で表された画素データに書き直してラインバッファ９に記憶する（Ｓ３６）。そして、次に、フレームのフッターが入力されたか否かを検出し（Ｓ３８）、この検出（Ｓ３８）により、フッターが検出されるまで上記Ｓ３２〜Ｓ３８までの処理を繰り返す。
【００３３】
次に、フッターが入力されると、各色の情報取得位置の画像データがラインバッファ９に記憶されているので、各色について、その記憶された画像データに基づいて色補正データΔＬを算出する処理（Ｓ４０）が行われる。この色補正データΔＬは、ＲＯＭ５２に記憶された重み付け係数ａ〜ｅを、以下に示す［数１］の（１）式のように乗じて算出し、ＲＡＭ７に記憶する（Ｓ４２）。
【００３４】
【数１】
0004296627.tif 000002
【００３５】
そしてＲＡＭ７に色補正データΔＬが記憶されると、次に押しボタンスイッチ１６が押下されたか否か、すなわち、撮影画像の印刷出力の実行を命令する信号が入力されているか否かを判定し（Ｓ４４）、押下されていなければ、上記Ｓ３０〜Ｓ４２の処理を再び実行し、押下されていれば、本処理（Ｓ３）を終了する。
【００３６】
次に、色補正出力処理（Ｓ５）について説明する。
ここで、図４は、色補正出力処理（Ｓ５）のフローチャートである。
この色補正出力処理（Ｓ５）は、前述の色補正データ作成処理（Ｓ３）に引き続いて行われる。この処理（Ｓ５）が開始されると、まず、フレームのヘッダが入力されたか否かを判定する（Ｓ５０）。次に、色補正装置３に入力される画素データをＲＯＭ６に記憶された照合用データと１つ１つ照合し、画素データを前述したＬ*ａ*ｂ* 系の色座標で表されたデータに変換（Ｓ５２）する。そして、下記に示す［数２］の（２）式に基づいて画素データを補正した後（Ｓ５４）、この画素データを印刷データとして外部に出力し（Ｓ５６）、フレームのフッターが入力されるまで（Ｓ５８）、上記Ｓ５２〜Ｓ５６の処理を実行する。
【００３７】
【数２】
0004296627.tif 000003
【００３８】
尚、画像データは、各色毎に算出された色補正データΔＬに基づいて算出している。
以上説明した色補正装置３を用いると、ラインバッファ９には、色補正データ作成処理（Ｓ３）で抽出した画素データ（本実施例では、３色×５=１５画素分）だけを記憶すればよいので、ラインバッファ９の記憶容量が少なくて済み、そのため、従来の色補正装置のように、記憶容量の大きなフレームバッファを備える必要がないので、その価格を低廉なものにすることができ、また、ＣＣＤカメラ１０の画素の高密度化にも対応できる。
【００３９】
尚、本発明の記憶手段は、本実施例のラインバッファ９に相当する。また、本発明の画素データ抽出手段は、本実施例の色補正データ作成処理（Ｓ３）のＳ３２の処理に該当する。また、本発明の補正データ算出手段は、本実施例の色補正データ作成処理（Ｓ３）のＳ４０の処理に該当する。さらに、本発明の補正手段は、本実施例の色補正出力処理（Ｓ５）のＳ５２の処理に該当する。
【００４０】
ところで、本実施例では、式（１）に表されるように画素データに重み付け係数ａ〜ｅ= ０．２を乗じたが、中央部分の画素データを他の画素データより重み付けをした後色補正データを作成すれば、中央部分の色調が強調された撮影画像を作成することができる。この場合、例えば、ｃ= ０．６として、その他を０．１とすればよい。このようにすると、通常撮影画面の中央には、被写体（例えば人物）が撮影されるので、人物の色調を強調して色補正した撮影画像を印刷出力することができる。また、例えば、ｃ=５、その他を１．２５とすれば、被写体と背景との色調のバランスのとれた撮影画像を印刷出力することができる。
【００４１】
また、本実施例では、ワンチップマイコン３のＲＡＭ７０の記憶容量が少ないため、外付けのラインバッファ９を用いたが、ＲＡＭ７０の記憶容量が大きいものであれば、ＲＡＭ７０にラインバッファ９の代わりとなる記憶領域を確保し、その記憶領域にラインバッファ９の代替をさせてもよい。
［第２実施例］
次に本発明が適用された第２実施例について説明する。
【００４２】
本実施例の色補正装置３は、装置構成が第１実施例の色補正装置と同様であり、情報取得位置が異なるものである。
従って、以下の説明では、第１実施例と異なる点についてのみ説明する。
ここで、図５は、情報取得位置の配置図である。
【００４３】
本実施例の色補正装置３は、図５（ａ）に示すように、撮影画面の中央部分における情報取得位置の分布密度が大きくなるよう設定されている。そのため、色補正データ作成処理（Ｓ３）を実行すると、撮影画像中央の色調が強調された色補正データΔＬが作成される。
【００４４】
従って、情報取得位置の分布密度を大きい部分を、図５（ａ）に示すように、撮影画像の中心位置とすれば、通常、撮影画像の中心位置には、被写体となるもの（例：人物）が撮影されるので被写体の色調を強調することができる。
尚、本実施例では、撮影画像中央の情報取得位置の分布密度を大きくするよう構成したが、これに限るものではない。
【００４５】
また、ＣＣＤカメラ１０が自動焦点機構１０ａを備えている場合、図５（ｂ）に示すように、ＣＣＤカメラ１０が焦点に設定した撮影画面上の位置（以下「焦点位置」という）について、情報取得位置の分布密度を大きくしてもよい。
このように、焦点位置の情報取得位置の密度分布を大きくするには、自動焦点機構１０ａから焦点位置に関する情報が入力されたとき、その焦点位置と、その焦点位置からの相対的な位置関係が予め定められた位置とに、情報取得位置が位置するよう予め設定しておけばよい。すなわち、図５（ｂ）の例でいうと、予め焦点位置に対応する位置と、その上下左右、左右斜め上及び左右斜め下の焦点位置から８方に広がった位置である。
［第３実施例］
次に本発明の第３実施例について説明する。
【００４６】
まず、図６は、本実施例の色補正装置を備える入出力複合装置１の概略構成図である。
本実施例の色補正装置３は、予めさまざまなパターンに設定された情報取得位置に関する位置データを記憶する複数の位置情報記憶領域がＲＯＭ６に記憶されており、色補正装置３に接続され、ＲＯＭ６に記憶された位置データから、情報取得位置を選択可能な選択スイッチ１８を備えている。そして、選択スイッチ１８での選択に基づいて、情報取得位置を設定するよう構成されている。その他の構成は、第１実施例と全く同様の構成であるので、その説明は省略する。
【００４７】
本実施例の色補正装置３を用いると、様々な配置の色情報取得位置がＲＯＭ６に記憶されているので、それらに基づいて様々なパターンに色補正された撮影画像を出力することができる。
尚、本実施例の色補正装置３を備える入出力複合装置１に、色補正された後の撮影画像を表示するためのモニター等を接続し、選択スイッチで選択された位置データで色補正された複数の撮影画像をこのモニターに出力するようにしてもよい。このようにすれば、入出力複合装置の操作者は、選択ボタンを操作して、様々なパターンに色補正された撮影画像をモニターでチェックすることができるので、操作者の好みの色調の撮影画像を印刷出力することができる。尚、この場合、出力先を選択するスイッチが色補正装置３に設けられているものとし、そのスイッチにより、出力先を変更すればよい。
【００４８】
また、本発明の位置情報記憶手段及び選択手段は、本実施例のＲＯＭ６及び選択スイッチ１８に該当する。
ところで、上記実施例１〜３では、プリンタ１４としてインクジェットプリンタを用いたものについて説明したが、熱転写方式あるいは熱昇華方式のプリンタ、あるいは、自己発色媒体方式のプリンタを用いてもよいことはもちろんである。
【００４９】
また、上記実施例１〜３では、ＣＣＤカメラ１０を用いているが、ＭＯＳイメージセンサを用いたカメラでもよいことはもちろんである。
尚、上記実施例１〜３では、図７に示すように、色補正データΔＬを作成するための画素データとして、ワンライン分の画素データを複数取得するようにしてもよい。
【図面の簡単な説明】
【図１】  本第１実施例の色補正装置が適用された入出力複合装置の概略構成図である。
【図２】  本第１実施例の色補正処理フローチャートである。
【図３】  本第１実施例の色補正データ作成処理のフローチャートである。
【図４】  本第１実施例の色補正出力処理のフローチャートである。
【図５】  本第２実施例での情報取得位置の配置図である。
【図６】  本第３実施例の色補正装置が適用された入出力複合装置の概略構成図である。
【図７】  本実施例において、画素データを取得する位置を説明するための説明図である。
【図８】  従来の色補正装置が適用された入出力複合装置の概略構成図である。
【図９】  請求項に記載された情報取得位置の説明図である。
【符号の説明】
１…入出力複合装置、３…色補正装置、５…マイクロコンピュータ、９…ラインバッファ、１０…ＣＣＤカメラ、１０ａ…自動焦点機構、１２…Ａ／Ｄ変換器、１４…プリンタ、１６…押しボタンスイッチ、１８…選択スイッチ、５２…ＣＣＤカメラ、７０…ΔＬ記憶領域
【図１】
0004296627.tif 000004
【図２】
0004296627.tif 000005
【図３】
0004296627.tif 000006
【図４】
0004296627.tif 000007
【図５】
0004296627.tif 000008
【図６】
0004296627.tif 000009
【図７】
0004296627.tif 000010
【図８】
0004296627.tif 000011
【図９】
0004296627.tif 000012